(57)【要約】【課題】配線の電位を接地用導体の電位に十分に近づけることが可能なフレキシブルプリント基板を提供すること。【解決手段】このフレキシブルプリント基板９は本体部１１０と第１の接地用端子部１２０と第２の接地用端子部１３０とを備える。本体部１１０は接続用端子部ＴＭ１の端子と接続用端子部ＴＭ３の端子とを接続する第１の配線部１１４と、接続用端子部ＴＭ２の端子と接続用端子部ＴＭ４の端子とを接続する第２の配線部１１５と、を有する。第１の接地用端子部１２０は第１の配線部１１４と接続され且つ本体部１１０から突出する導体である。第２の接地用端子部１３０は、第２の配線部１１５と接続され且つ本体部１１０から突出する導体である。基板９は第１の配線部１１４と第２の配線部１１５との少なくとも一部が重ね合わせられるように本体部１１０を折り曲げることにより形成される。【選択図】図４
2010040888.tif 000002
【特許請求の範囲】
【請求項１】
第１の基板に装着されることにより当該第１の基板上の回路と接続される端子を含む第１の接続用端子部及び第２の接続用端子部と、第２の基板に装着されることにより当該第２の基板上の回路と接続される端子を含む第３の接続用端子部及び第４の接続用端子部と、前記第１の接続用端子部が含む端子と前記第３の接続用端子部が含む端子とを接続する配線を含む第１の配線部と、前記第２の接続用端子部が含む端子と前記第４の接続用端子部が含む端子とを接続する配線を含む第２の配線部と、を有するシート状の本体部と、
前記第１の配線部が含む配線と接続され且つ前記本体部から突出する導体である第１の接地用端子部と、
前記第２の配線部が含む配線と接続され且つ前記本体部から突出する導体である第２の接地用端子部と、を備えるとともに、
前記第１の配線部と前記第２の配線部との少なくとも一部が重ね合わせられるように、前記本体部を所定の折り曲げ位置にて折り曲げることにより形成されたフレキシブルプリント基板。
【請求項２】
請求項１に記載のフレキシブルプリント基板であって、
前記本体部が折り曲げられた状態にて、前記第１の接地用端子部と前記第２の接地用端子部とが隣接するように配置されたフレキシブルプリント基板。
【請求項３】
請求項１に記載のフレキシブルプリント基板であって、
前記本体部が折り曲げられた状態にて、前記第１の接地用端子部と前記第２の接地用端子部との少なくとも一部が重ね合わせられるように配置されたフレキシブルプリント基板。
【請求項４】
請求項１乃至請求項３のいずれか一項に記載のフレキシブルプリント基板であって、
前記第３の接続用端子部及び前記第４の接続用端子部は、前記第２の基板上に設けられた第１のコネクタに装着されるように第１の接続部を形成し、
前記第１の接地用端子部及び前記第２の接地用端子部は、前記第１の接続部から突出するように構成されたフレキシブルプリント基板。
【請求項５】
請求項４に記載のフレキシブルプリント基板であって、
前記第１の接地用端子部及び前記第２の接地用端子部は、前記第１の接続部が前記第１のコネクタに装着された状態において、前記第２の基板に設けられた導体であって当該第１の接続部と略同一の平面を形成する表面を有する導体である接地用導体と当接するように構成されたフレキシブルプリント基板。
【請求項６】
請求項５に記載のフレキシブルプリント基板であって、
前記フレキシブルプリント基板が筐体に収容された場合に、その筐体に固定された押圧部材により、前記第１の接地用端子部及び前記第２の接地用端子部が前記接地用導体に押圧されるように構成されたフレキシブルプリント基板。
【請求項７】
請求項４乃至請求項６のいずれか一項に記載のフレキシブルプリント基板であって、
前記第１の接続部は、前記本体部が折り曲げられる前の状態にて、正面視において長方形状を有し、
前記折り曲げ位置は、前記第１の接続部の短辺方向における中央にて、長辺方向に沿って延びる位置であり、
前記第１の配線部は、前記第１の接続部の第１の長辺の一部と連接し、
前記第２の配線部は、前記第１の接続部の第２の長辺の一部と連接し、
前記第１の接地用端子部は、前記第１の長辺のうちの、当該第１の長辺と前記第１の配線部が連接した部分以外の部分の少なくとも一部から短辺方向に突出するように構成され、
前記第２の接地用端子部は、前記第２の長辺のうちの、当該第２の長辺と前記第２の配線部が連接した部分以外の部分の少なくとも一部から短辺方向に突出するように構成されたフレキシブルプリント基板。
【請求項８】
請求項１乃至請求項７のいずれか一項に記載のフレキシブルプリント基板であって、
前記第１の接続用端子部は、前記第１の基板上に設けられた第２のコネクタに装着されるように第２の接続部を形成し、
前記第２の接続用端子部は、前記第１の基板上に設けられた第３のコネクタに装着されるように第３の接続部を形成するフレキシブルプリント基板。
【請求項９】
第１の基板が収容された第１の筐体と、第２の基板が収容され且つ当該第１の筐体と相対移動可能に構成された第２の筐体と、当該第１の基板と当該第２の基板とを接続するフレキシブルプリント基板と、を備える電子機器であって、
前記フレキシブルプリント基板は、
前記第１の基板に装着されることにより当該第１の基板上の回路と接続される端子を含む第１の接続用端子部及び第２の接続用端子部と、前記第２の基板に装着されることにより当該第２の基板上の回路と接続される端子を含む第３の接続用端子部及び第４の接続用端子部と、前記第１の接続用端子部が含む端子と前記第３の接続用端子部が含む端子とを接続する配線を含む第１の配線部と、前記第２の接続用端子部が含む端子と前記第４の接続用端子部が含む端子とを接続する配線を含む第２の配線部と、を有するシート状の本体部と、
前記第１の配線部が含む配線と接続され且つ前記本体部から突出する導体である第１の接地用端子部と、
前記第２の配線部が含む配線と接続され且つ前記本体部から突出する導体である第２の接地用端子部と、を備えるとともに、
前記第１の配線部と前記第２の配線部との少なくとも一部が重ね合わせられるように、前記本体部を所定の折り曲げ位置にて折り曲げることにより形成されてなる電子機器。
【請求項１０】
請求項９に記載の電子機器であって、
前記フレキシブルプリント基板の前記本体部が折り曲げられた状態にて、前記第１の接地用端子部と前記第２の接地用端子部とが隣接するように配置された電子機器。
【請求項１１】
請求項９に記載の電子機器であって、
前記フレキシブルプリント基板の前記本体部が折り曲げられた状態にて、前記第１の接地用端子部と前記第２の接地用端子部との少なくとも一部が重ね合わせられるように配置された電子機器。
【請求項１２】
請求項９乃至請求項１１のいずれか一項に記載の電子機器であって、
前記第３の接続用端子部及び前記第４の接続用端子部は、前記第２の基板上に設けられた第１のコネクタに装着されるように第１の接続部を形成し、
前記第１の接地用端子部及び前記第２の接地用端子部は、前記第１の接続部から突出するように構成された電子機器。
【請求項１３】
請求項１２に記載の電子機器であって、
前記第２の基板は、前記第１の接続部が前記第１のコネクタに装着された状態において、当該第１の接続部と略同一の平面を形成する表面を有する導体である接地用導体を備え、
前記第１の接地用端子部及び前記第２の接地用端子部は、前記第１の接続部が前記第１のコネクタに装着された状態において、前記接地用導体と当接するように構成された電子機器。
【請求項１４】
請求項１３に記載の電子機器であって、
前記第２の筐体に固定され、且つ、前記第１の接地用端子部及び前記第２の接地用端子部を前記接地用導体に押圧する押圧部材を備える電子機器。
【請求項１５】
請求項９乃至請求項１４のいずれか一項に記載の電子機器であって、
前記電子機器は、携帯電話装置である電子機器。
【請求項１６】
端子を含む第１の接続用端子部及び第２の接続用端子部と、端子を含む第３の接続用端子部及び第４の接続用端子部と、前記第１の接続用端子部が含む端子と前記第３の接続用端子部が含む端子とを接続する配線を含む第１の配線部と、前記第２の接続用端子部が含む端子と前記第４の接続用端子部が含む端子とを接続する配線を含む第２の配線部と、を有するシート状の本体部と、
前記第１の配線部が含む配線と接続され且つ前記本体部から突出する導体である第１の接地用端子部と、
前記第２の配線部が含む配線と接続され且つ前記本体部から突出する導体である第２の接地用端子部と、を備えるフレキシブルプリント基板の前記本体部を所定の折り曲げ位置にて折り曲げることにより、前記第１の配線部と前記第２の配線部との少なくとも一部を重ね合わせる折曲工程と、
前記第１の接続用端子部及び前記第２の接続用端子部が含む端子が第１の基板上の回路と接続されるように、当該第１の接続用端子部及び当該第２の接続用端子部を当該第１の基板に装着するとともに、前記第３の接続用端子部及び前記第４の接続用端子部が含む端子が第２の基板上の回路と接続されるように、当該第３の接続用端子部及び当該第４の接続用端子部を当該第２の基板に装着する装着工程と、
前記第１の接地用端子部及び前記第２の接地用端子部を接地用導体に接触させる接地工程と、
を含むフレキシブルプリント基板の装着方法。
【請求項１７】
請求項１６に記載のフレキシブルプリント基板の装着方法であって、
前記折曲工程は、前記本体部が折り曲げられた状態にて、前記第１の接地用端子部と前記第２の接地用端子部とが隣接するように、当該本体部を折り曲げるフレキシブルプリント基板の装着方法。
【請求項１８】
請求項１６に記載のフレキシブルプリント基板の装着方法であって、
前記折曲工程は、前記本体部が折り曲げられた状態にて、前記第１の接地用端子部と前記第２の接地用端子部との少なくとも一部が重ね合わせられるように、当該本体部を折り曲げるフレキシブルプリント基板の装着方法。
【請求項１９】
請求項１６乃至請求項１８のいずれか一項に記載のフレキシブルプリント基板の装着方法であって、
前記装着工程は、前記第３の接続用端子部及び前記第４の接続用端子部が形成する第１の接続部を、前記第２の基板上に設けられた第１のコネクタに装着するように構成され、
前記接地工程は、前記第１の接続部から突出する前記第１の接地用端子部及び前記第２の接地用端子部を前記第２の基板に設けられた前記接地用導体に接触させるように構成されたフレキシブルプリント基板の装着方法。
【請求項２０】
請求項１９に記載のフレキシブルプリント基板の装着方法であって、
前記接地工程は、前記第１の接地用端子部及び前記第２の接地用端子部を、前記第１の接続部が前記第１のコネクタに装着された状態において、前記第２の基板に設けられた導体であって当該第１の接続部と略同一の平面を形成する表面を有する導体である前記接地用導体に当接させるように構成されたフレキシブルプリント基板の装着方法。
【請求項２１】
請求項２０に記載のフレキシブルプリント基板の装着方法であって、
前記接地工程は、筐体に固定された押圧部材によって、前記第１の接地用端子部及び前記第２の接地用端子部が前記接地用導体に押圧されるように、前記フレキシブルプリント基板を前記筐体内に配置することにより、前記第１の接地用端子部及び前記第２の接地用端子部を前記接地用導体に接触させるように構成されたフレキシブルプリント基板の装着方法。
【発明の詳細な説明】
【技術分野】
【０００１】
本発明は、折り曲げて重ね合わせることにより形成されたフレキシブルプリント基板に関する。
【背景技術】
【０００２】
シート状の本体部を所定の折り曲げ位置にて折り曲げて重ね合わせることにより形成されたフレキシブルプリント基板が知られている（例えば、特許文献１を参照）。このフレキシブルプリント基板は、第１の接続用端子部と、第２の接続用端子部と、第３の接続用端子部と、第４の接続用端子部と、第１の配線部と、第２の配線部と、を有する。
【０００３】
第１の接続用端子部及び第２の接続用端子部は、第１の基板に装着されることにより当該第１の基板上の回路と接続される端子を含む。第３の接続用端子部及び第４の接続用端子部は、第２の基板に装着されることにより当該第２の基板上の回路と接続される端子を含む。第１の配線部は、第１の接続用端子部が含む端子と第３の接続用端子部が含む端子とを接続する配線を含む。第２の配線部は、第２の接続用端子部が含む端子と第４の接続用端子部が含む端子とを接続する配線を含む。
【０００４】
このフレキシブルプリント基板は、第１の配線部と第２の配線部とが重ね合わせられるように折り曲げられる。このフレキシブルプリント基板によれば、配線部の面積を増加させることなく、第１の基板上の回路と、第２の基板上の回路と、の間で信号を伝達するための配線（信号線）の数を増やすことができる。
【特許文献１】特開２００２−１４１６１８号公報
【発明の開示】
【発明が解決しようとする課題】
【０００５】
ところで、上記フレキシブルプリント基板は、第１の基板上の回路における接地電位と、第２の基板上の回路における接地電位と、を一致させるために、第１の基板に設けられた接地用導体と第２の基板に設けられた接地用導体とを接続する接地用配線を含む。
【０００６】
一方、信号線の数が増えると、第１の基板のうちの、第１の接続用端子部（又は、第２の接続用端子部）が含む端子が接続される領域の近傍における配線の密度が高くなる。この結果、接地用導体と接続された第１の基板上の配線の電位が、他の配線により形成される電磁界によって変動しやすくなる。従って、接地用配線の電位を、接地用導体の電位に十分に近づけることができない虞があった。
【０００７】
このため、本発明の目的は、上述した課題である「接地用配線の電位を、接地用導体の電位に十分に近づけることができないこと」を解決することが可能なフレキシブルプリント基板を提供することにある。
【課題を解決するための手段】
【０００８】
かかる目的を達成するため本発明の一形態であるフレキシブルプリント基板は、
第１の基板に装着されることにより当該第１の基板上の回路と接続される端子を含む第１の接続用端子部及び第２の接続用端子部と、第２の基板に装着されることにより当該第２の基板上の回路と接続される端子を含む第３の接続用端子部及び第４の接続用端子部と、上記第１の接続用端子部が含む端子と上記第３の接続用端子部が含む端子とを接続する配線を含む第１の配線部と、上記第２の接続用端子部が含む端子と上記第４の接続用端子部が含む端子とを接続する配線を含む第２の配線部と、を有するシート状の本体部と、
上記第１の配線部が含む配線と接続され且つ上記本体部から突出する導体である第１の接地用端子部と、
上記第２の配線部が含む配線と接続され且つ上記本体部から突出する導体である第２の接地用端子部と、を備えるとともに、
上記第１の配線部と上記第２の配線部との少なくとも一部が重ね合わせられるように、上記本体部を所定の折り曲げ位置にて折り曲げることにより形成される。
【０００９】
また、本発明の他の形態である電子機器は、
第１の基板が収容された第１の筐体と、第２の基板が収容され且つ当該第１の筐体と相対移動可能に構成された第２の筐体と、当該第１の基板と当該第２の基板とを接続するフレキシブルプリント基板と、を備える電子機器である。
【００１０】
更に、上記フレキシブルプリント基板は、
上記第１の基板に装着されることにより当該第１の基板上の回路と接続される端子を含む第１の接続用端子部及び第２の接続用端子部と、上記第２の基板に装着されることにより当該第２の基板上の回路と接続される端子を含む第３の接続用端子部及び第４の接続用端子部と、上記第１の接続用端子部が含む端子と上記第３の接続用端子部が含む端子とを接続する配線を含む第１の配線部と、上記第２の接続用端子部が含む端子と上記第４の接続用端子部が含む端子とを接続する配線を含む第２の配線部と、を有するシート状の本体部と、
上記第１の配線部が含む配線と接続され且つ上記本体部から突出する導体である第１の接地用端子部と、
上記第２の配線部が含む配線と接続され且つ上記本体部から突出する導体である第２の接地用端子部と、を備えるとともに、
上記第１の配線部と上記第２の配線部との少なくとも一部が重ね合わせられるように、上記本体部を所定の折り曲げ位置にて折り曲げることにより形成されてなる。
【００１１】
また、本発明の他の形態であるフレキシブルプリント基板の装着方法は、
端子を含む第１の接続用端子部及び第２の接続用端子部と、端子を含む第３の接続用端子部及び第４の接続用端子部と、上記第１の接続用端子部が含む端子と上記第３の接続用端子部が含む端子とを接続する配線を含む第１の配線部と、上記第２の接続用端子部が含む端子と上記第４の接続用端子部が含む端子とを接続する配線を含む第２の配線部と、を有するシート状の本体部と、
上記第１の配線部が含む配線と接続され且つ上記本体部から突出する導体である第１の接地用端子部と、
上記第２の配線部が含む配線と接続され且つ上記本体部から突出する導体である第２の接地用端子部と、を備えるフレキシブルプリント基板の上記本体部を所定の折り曲げ位置にて折り曲げることにより、上記第１の配線部と上記第２の配線部との少なくとも一部を重ね合わせる折曲工程と、
上記第１の接続用端子部及び上記第２の接続用端子部が含む端子が第１の基板上の回路と接続されるように、当該第１の接続用端子部及び当該第２の接続用端子部を当該第１の基板に装着するとともに、上記第３の接続用端子部及び上記第４の接続用端子部が含む端子が第２の基板上の回路と接続されるように、当該第３の接続用端子部及び当該第４の接続用端子部を当該第２の基板に装着する装着工程と、
上記第１の接地用端子部及び上記第２の接地用端子部を接地用導体に接触させる接地工程と、を含む。
【発明の効果】
【００１２】
本発明は、以上のように構成されることにより、配線の電位を接地用導体の電位に十分に近づけることができる。
【発明を実施するための最良の形態】
【００１３】
本発明の一形態であるフレキシブルプリント基板は、
第１の基板に装着されることにより当該第１の基板上の回路と接続される端子を含む第１の接続用端子部及び第２の接続用端子部と、第２の基板に装着されることにより当該第２の基板上の回路と接続される端子を含む第３の接続用端子部及び第４の接続用端子部と、上記第１の接続用端子部が含む端子と上記第３の接続用端子部が含む端子とを接続する配線を含む第１の配線部と、上記第２の接続用端子部が含む端子と上記第４の接続用端子部が含む端子とを接続する配線を含む第２の配線部と、を有するシート状の本体部と、
上記第１の配線部が含む配線と接続され且つ上記本体部から突出する導体である第１の接地用端子部と、
上記第２の配線部が含む配線と接続され且つ上記本体部から突出する導体である第２の接地用端子部と、を備えるとともに、
上記第１の配線部と上記第２の配線部との少なくとも一部が重ね合わせられるように、上記本体部を所定の折り曲げ位置にて折り曲げることにより形成される。
【００１４】
これによれば、第１の配線部が含む配線は、第１の接地用端子部を介して接地用導体と接続される。従って、第２の基板のうちの第３の接続用端子部及び第４の接続用端子部が含む端子が接続される領域の近傍を通る配線を経由する経路のみを用いて、第１の配線部が含む配線と接地用導体とが接続される場合と比較して、第１の配線部が含む配線（接地用配線）の電位を、接地用導体の電位に十分に近づけることができる。同様に、第２の配線部が含む配線（接地用配線）の電位も、接地用導体の電位に十分に近づけることができる。この結果、第１の基板上の回路における接地電位と、第２の基板上の回路における接地電位と、を十分に近づけることができる。
【００１５】
この場合、上記フレキシブルプリント基板は、
上記本体部が折り曲げられた状態にて、上記第１の接地用端子部と上記第２の接地用端子部とが隣接するように配置されることが好適である。
【００１６】
第１の接地用端子部と第２の接地用端子部とが離れた位置に配置されている場合には、接地用導体を比較的大きくしなければ、又は、接地用導体を複数用意しなければ、第１の接地用端子部及び第２の接地用端子部の両方と、接地用導体と、を接触させることができない。
【００１７】
これに対し、上記構成によれば、第１の接地用端子部と第２の接地用端子部とが隣接するように配置される。従って、接地用導体を比較的大きくすることなく、又は、接地用導体を複数用意することなく、第１の接地用端子部及び第２の接地用端子部の両方と、接地用導体と、を接触させることができる。
【００１８】
また、本発明の他の態様に係るフレキシブルプリント基板は、
上記本体部が折り曲げられた状態にて、上記第１の接地用端子部と上記第２の接地用端子部との少なくとも一部が重ね合わせられるように配置されることが好適である。
【００１９】
第１の接地用端子部と第２の接地用端子部とが離れた位置に配置されている場合には、接地用導体を比較的大きくしなければ、又は、接地用導体を複数用意しなければ、第１の接地用端子部及び第２の接地用端子部の両方と、接地用導体と、を接触させることができない。
【００２０】
これに対し、上記構成によれば、第１の接地用端子部と第２の接地用端子部との少なくとも一部が重ね合わせられるように配置される。従って、接地用導体を比較的大きくすることなく、又は、接地用導体を複数用意することなく、第１の接地用端子部及び第２の接地用端子部の両方と、接地用導体と、を接触させることができる。
【００２１】
この場合、
上記第３の接続用端子部及び上記第４の接続用端子部は、上記第２の基板上に設けられた第１のコネクタに装着されるように第１の接続部を形成し、
上記第１の接地用端子部及び上記第２の接地用端子部は、上記第１の接続部から突出するように構成されることが好適である。
【００２２】
これによれば、第１の接地用端子部及び第２の接地用端子部を、第２の基板に設けられた接地用導体と容易に接触させることができる。
【００２３】
この場合、
上記第１の接地用端子部及び上記第２の接地用端子部は、上記第１の接続部が上記第１のコネクタに装着された状態において、上記第２の基板に設けられた導体であって当該第１の接続部と略同一の平面を形成する表面を有する導体である接地用導体と当接するように構成されることが好適である。
【００２４】
第１の接続部と、第１の接地用端子部及び第２の接地用端子部と、が異なる平面に位置する場合、第１の接続部と、第１の接地用端子部又は第２の接地用端子部と、の間の部分にて過大なせん断力が発生する虞がある。
【００２５】
これに対し、上記構成によれば、第１の接続部と、第１の接地用端子部及び第２の接地用端子部と、は略同一の平面に位置する。従って、第１の接続部と、第１の接地用端子部又は第２の接地用端子部と、の間の部分にて過大なせん断力が発生することを防止することができる。
【００２６】
この場合、上記フレキシブルプリント基板は、
上記フレキシブルプリント基板が筐体に収容された場合に、その筐体に固定された押圧部材により、上記第１の接地用端子部及び上記第２の接地用端子部が上記接地用導体に押圧されるように構成されることが好適である。
【００２７】
これによれば、第１の接地用端子部及び第２の接地用端子部と、接地用導体と、を確実に接触させることができる。更に、第１の接地用端子部及び第２の接地用端子部と、接地用導体と、を接触させるためにネジ等を用いる場合と比較して、フレキシブルプリント基板が筐体に収容された装置を容易に組み立てることができる。
【００２８】
この場合、
上記第１の接続部は、上記本体部が折り曲げられる前の状態にて、正面視において長方形状を有し、
上記折り曲げ位置は、上記第１の接続部の短辺方向における中央にて、長辺方向に沿って延びる位置であり、
上記第１の配線部は、上記第１の接続部の第１の長辺の一部と連接し、
上記第２の配線部は、上記第１の接続部の第２の長辺の一部と連接し、
上記第１の接地用端子部は、上記第１の長辺のうちの、当該第１の長辺と上記第１の配線部が連接した部分以外の部分の少なくとも一部から短辺方向に突出するように構成され、
上記第２の接地用端子部は、上記第２の長辺のうちの、当該第２の長辺と上記第２の配線部が連接した部分以外の部分の少なくとも一部から短辺方向に突出するように構成されることが好適である。
【００２９】
この場合、
上記第１の接続用端子部は、上記第１の基板上に設けられた第２のコネクタに装着されるように第２の接続部を形成し、
上記第２の接続用端子部は、上記第１の基板上に設けられた第３のコネクタに装着されるように第３の接続部を形成することが好適である。
【００３０】
また、本発明の他の形態である電子機器は、
第１の基板が収容された第１の筐体と、第２の基板が収容され且つ当該第１の筐体と相対移動可能に構成された第２の筐体と、当該第１の基板と当該第２の基板とを接続するフレキシブルプリント基板と、を備える電子機器である。
【００３１】
更に、上記フレキシブルプリント基板は、
上記第１の基板に装着されることにより当該第１の基板上の回路と接続される端子を含む第１の接続用端子部及び第２の接続用端子部と、上記第２の基板に装着されることにより当該第２の基板上の回路と接続される端子を含む第３の接続用端子部及び第４の接続用端子部と、上記第１の接続用端子部が含む端子と上記第３の接続用端子部が含む端子とを接続する配線を含む第１の配線部と、上記第２の接続用端子部が含む端子と上記第４の接続用端子部が含む端子とを接続する配線を含む第２の配線部と、を有するシート状の本体部と、
上記第１の配線部が含む配線と接続され且つ上記本体部から突出する導体である第１の接地用端子部と、
上記第２の配線部が含む配線と接続され且つ上記本体部から突出する導体である第２の接地用端子部と、を備えるとともに、
上記第１の配線部と上記第２の配線部との少なくとも一部が重ね合わせられるように、上記本体部を所定の折り曲げ位置にて折り曲げることにより形成されてなる。
【００３２】
この場合、上記電子機器は、
上記フレキシブルプリント基板の上記本体部が折り曲げられた状態にて、上記第１の接地用端子部と上記第２の接地用端子部とが隣接するように配置されることが好適である。
【００３３】
また、本発明の他の態様に係る電子機器は、
上記フレキシブルプリント基板の上記本体部が折り曲げられた状態にて、上記第１の接地用端子部と上記第２の接地用端子部との少なくとも一部が重ね合わせられるように配置されることが好適である。
【００３４】
この場合、
上記第３の接続用端子部及び上記第４の接続用端子部は、上記第２の基板上に設けられた第１のコネクタに装着されるように第１の接続部を形成し、
上記第１の接地用端子部及び上記第２の接地用端子部は、上記第１の接続部から突出するように構成されることが好適である。
【００３５】
この場合、
上記第２の基板は、上記第１の接続部が上記第１のコネクタに装着された状態において、当該第１の接続部と略同一の平面を形成する表面を有する導体である接地用導体を備え、
上記第１の接地用端子部及び上記第２の接地用端子部は、上記第１の接続部が上記第１のコネクタに装着された状態において、上記接地用導体と当接するように構成されることが好適である。
【００３６】
この場合、上記電子機器は、
上記第２の筐体に固定され、且つ、上記第１の接地用端子部及び上記第２の接地用端子部を上記接地用導体に押圧する押圧部材を備えることが好適である。
【００３７】
この場合、上記電子機器は、携帯電話装置であることが好適である。
【００３８】
また、本発明の他の形態であるフレキシブルプリント基板の装着方法は、
端子を含む第１の接続用端子部及び第２の接続用端子部と、端子を含む第３の接続用端子部及び第４の接続用端子部と、上記第１の接続用端子部が含む端子と上記第３の接続用端子部が含む端子とを接続する配線を含む第１の配線部と、上記第２の接続用端子部が含む端子と上記第４の接続用端子部が含む端子とを接続する配線を含む第２の配線部と、を有するシート状の本体部と、
上記第１の配線部が含む配線と接続され且つ上記本体部から突出する導体である第１の接地用端子部と、
上記第２の配線部が含む配線と接続され且つ上記本体部から突出する導体である第２の接地用端子部と、を備えるフレキシブルプリント基板の上記本体部を所定の折り曲げ位置にて折り曲げることにより、上記第１の配線部と上記第２の配線部との少なくとも一部を重ね合わせる折曲工程と、
上記第１の接続用端子部及び上記第２の接続用端子部が含む端子が第１の基板上の回路と接続されるように、当該第１の接続用端子部及び当該第２の接続用端子部を当該第１の基板に装着するとともに、上記第３の接続用端子部及び上記第４の接続用端子部が含む端子が第２の基板上の回路と接続されるように、当該第３の接続用端子部及び当該第４の接続用端子部を当該第２の基板に装着する装着工程と、
上記第１の接地用端子部及び上記第２の接地用端子部を接地用導体に接触させる接地工程と、を含む。
【００３９】
この場合、
上記折曲工程は、上記本体部が折り曲げられた状態にて、上記第１の接地用端子部と上記第２の接地用端子部とが隣接するように、当該本体部を折り曲げることが好適である。
【００４０】
また、上記フレキシブルプリント基板の装着方法の他の態様において、
上記折曲工程は、上記本体部が折り曲げられた状態にて、上記第１の接地用端子部と上記第２の接地用端子部との少なくとも一部が重ね合わせられるように、当該本体部を折り曲げることが好適である。
【００４１】
この場合、
上記装着工程は、上記第３の接続用端子部及び上記第４の接続用端子部が形成する第１の接続部を、上記第２の基板上に設けられた第１のコネクタに装着するように構成され、
上記接地工程は、上記第１の接続部から突出する上記第１の接地用端子部及び上記第２の接地用端子部を上記第２の基板に設けられた上記接地用導体に接触させるように構成されることが好適である。
【００４２】
この場合、
上記接地工程は、上記第１の接地用端子部及び上記第２の接地用端子部を、上記第１の接続部が上記第１のコネクタに装着された状態において、上記第２の基板に設けられた導体であって当該第１の接続部と略同一の平面を形成する表面を有する導体である上記接地用導体に当接させるように構成されることが好適である。
【００４３】
この場合、
上記接地工程は、筐体に固定された押圧部材によって、上記第１の接地用端子部及び上記第２の接地用端子部が上記接地用導体に押圧されるように、上記フレキシブルプリント基板を上記筐体内に配置することにより、上記第１の接地用端子部及び上記第２の接地用端子部を上記接地用導体に接触させるように構成されることが好適である。
【００４４】
上述した構成を有する、電子機器、又は、フレキシブルプリント基板の装着方法、の発明であっても、上記フレキシブルプリント基板と同様の作用を有するために、上述した本発明の目的を達成することができる。
【００４５】
以下、本発明に係る、フレキシブルプリント基板、電子機器、及び、フレキシブルプリント基板の装着方法、の実施形態について図１〜図８を参照しながら説明する。
【００４６】
＜実施形態＞
図１に示したように、本発明に係るフレキシブルプリント基板が適用された電子機器としての携帯電話装置１は、折り畳み式の携帯電話装置である。携帯電話装置１は、第１の筐体２と、第２の筐体３と、を備える。
【００４７】
第１の筐体２及び第２の筐体３のそれぞれは、平板状に形成されている。第１の筐体２及び第２の筐体３のそれぞれは、正面視において長方形状を有している。第１の筐体２及び第２の筐体３は、それぞれの短辺が互いに連接するように、図示しないヒンジユニットを介して連結されている。
【００４８】
これにより、第２の筐体３は、第１の筐体２及び第２の筐体３が連結された部分（連結部）を揺動軸として、第１の筐体２に対して揺動可能に構成されている。即ち、第２の筐体３は、第１の筐体２と相対移動可能に構成されている、と言うことができる。
【００４９】
また、第１の筐体２には、ディスプレイ１１が配設されている。更に、第２の筐体３には、複数の入力キー（ボタン式スイッチ）１２が配設されている。
【００５０】
加えて、図２に示したように、第１の筐体２の内部には、第１の基板４が収容されている。第１の基板４は、第１の筐体２に固定されている。また、第２の筐体３の内部には、第２の基板５が収容されている。第２の基板５は、第２の筐体３に固定されている。
【００５１】
第１の基板４及び第２の基板５には、携帯電話装置１の機能を実現するための回路が形成されている。この機能は、例えば、図示しないアンテナを介して通信を行うための機能、入力キー１２がユーザに押されることにより情報を入力する機能、ディスプレイ１１に文字及び画像を表示する機能、図示しないスピーカを介して音を出力する機能、及び、図示しないマイクを介して集音された音を入力する機能等を含む。
【００５２】
更に、図２に示したように、第２の基板５には、第１のコネクタ６が配設されている。加えて、第１の基板４には、第２のコネクタ７及び第３のコネクタ８が配設されている。
【００５３】
更に、携帯電話装置１は、フレキシブルプリント基板９を備える。フレキシブルプリント基板９は、絶縁体（本例では、ポリイミド）からなるベースフィルム上に金属（本例では、銅）からなる配線が形成されている。即ち、フレキシブルプリント基板９は、可撓性の（大きく変形させることが可能な）基板である。
【００５４】
フレキシブルプリント基板９は、１枚のシート状の部材を折り曲げることにより形成されている。図３は、折り曲げる前の状態におけるフレキシブルプリント基板９を示した図（展開図）である。
【００５５】
フレキシブルプリント基板９は、図３に示したように、本体部１１０と、第１の接地用端子部１２０と、第２の接地用端子部１３０と、を備える。更に、本体部１１０は、第１の接続部１１１と、第２の接続部１１２と、第３の接続部１１３と、第１の配線部１１４と、第２の配線部１１５と、を有する。以下、Ｘ軸、Ｙ軸及びＺ軸からなる右手系の直交座標系を用いて説明を続ける。図３において、Ｚ軸方向は、フレキシブルプリント基板９が形成する平面と直交する方向である。
【００５６】
第１の接続部１１１は、正面視において、Ｘ軸方向に延びる長辺と、Ｙ軸方向に延びる短辺と、を有する長方形状である。即ち、第１の接続部１１１は、本体部１１０が折り曲げられる前の状態にて、正面視において長方形状を有する、と言うことができる。第１の接続部１１１の短辺方向（Ｙ軸方向）における中央にて、長辺方向（Ｘ軸方向）に沿って延びる直線Ｌ１は、フレキシブルプリント基板９を折り曲げるための折り曲げ位置である。
【００５７】
第１の接続部１１１のＺ軸負方向側の表面には、外部に露出する導体である端子が複数形成されている。この複数の端子は、第１の接続部１１１のうちの上記折り曲げ位置よりもＹ軸正方向側の部分に配置されている。この複数の端子は、直線状に等間隔にて配置された複数の端子からなる列が、Ｘ軸方向に沿って平行に２列並ぶように配置されている。
【００５８】
上記複数の端子のうちのＹ軸正方向側の列を構成する端子は、第３の接続用端子部ＴＭ３を構成している。上記複数の端子のうちのＹ軸負方向側の列を構成する端子は、第４の接続用端子部ＴＭ４を構成している。
【００５９】
第２の接続部１１２及び第３の接続部１１３のそれぞれは、Ｙ軸方向に延びる長辺と、Ｘ軸方向に延びる短辺と、を有する長方形状である。第２の接続部１１２のＺ軸負方向側の表面には、第１の接続部１１１と同様に、外部に露出する導体である端子が複数形成されている。また、第３の接続部１１３のＺ軸正方向側の表面には、第１の接続部１１１と同様に、外部に露出する導体である端子が複数形成されている。
【００６０】
第２の接続部１１２に形成された端子は、第１の接続用端子部ＴＭ１を構成している。第３の接続部１１３に形成された端子は、第２の接続用端子部ＴＭ２を構成している。
【００６１】
第１の配線部１１４は、一定の幅を有するクランク形状を有している。第１の配線部１１４の一端は、第１の接続部１１１のＹ軸正方向側の長辺（第１の長辺）Ｓ１のうちのＸ軸負方向側の端部と連接している。第１の配線部１１４の他端は、第２の接続部１１２のＹ軸負方向側の短辺と連接している。
【００６２】
第１の配線部１１４には、複数の配線が形成されている。この複数の配線のそれぞれは、第１の接続用端子部ＴＭ１が含む（を構成する）端子の１つと第３の接続用端子部ＴＭ３が含む端子の１つとを接続している。更に、第１の配線部１１４は、この複数の配線を外部に露出させないように当該配線を被覆する絶縁膜を備える。
【００６３】
第２の配線部１１５は、一定の幅を有するクランク形状を有している。また、第２の配線部１１５の一端は、第１の接続部１１１のＹ軸負方向側の長辺（第２の長辺）Ｓ２のうちのＸ軸負方向側の端部と連接している。第２の配線部１１５の他端は、第３の接続部１１３のＹ軸正方向側の短辺と連接している。
【００６４】
更に、第２の配線部１１５のＹ軸負方向側の端部を除く部分の形状は、直線Ｌ１に対して第１の配線部１１４と線対称となる形状である。即ち、第１の長辺Ｓ１と第１の配線部１１４が連接した部分（第１の連接部）のＸ軸方向における長さと、第２の長辺Ｓ２と第２の配線部１１５が連接した部分（第２の連接部）のＸ軸方向における長さと、は一致している。
【００６５】
第２の配線部１１５には、複数の配線が形成されている。この複数の配線のそれぞれは、第２の接続用端子部ＴＭ２が含む端子の１つと第４の接続用端子部ＴＭ４が含む端子の１つとを接続している。更に、第２の配線部１１５は、この複数の配線を外部に露出させないように当該配線を被覆する絶縁膜を備える。
【００６６】
第１の接地用端子部１２０は、長方形状の導体である。第１の接地用端子部１２０は、第１の長辺Ｓ１のうちの第１の連接部以外の部分の一部からＹ軸正方向に突出（延出）している。第１の接地用端子部１２０は、第１の接地用端子部１２０と第１の連接部とが隣接するように配置されている。
【００６７】
第１の接地用端子部１２０は、絶縁膜に被覆されることなく外部に露出している。第１の接地用端子部１２０は、第３の接続用端子部ＴＭ３が含む端子を介して第１の配線部１１４が含む配線の１つ（接地用配線）と接続されている。
【００６８】
第２の接地用端子部１３０は、長方形状の導体である。第２の接地用端子部１３０は、第２の長辺Ｓ２のうちの第２の連接部以外の部分の一部からＹ軸負方向に突出（延出）している。第２の接地用端子部１３０は、第２の連接部のＸ軸正方向側の端と、第２の接地用端子部１３０のＸ軸負方向側の端と、の間の距離が、第１の接地用端子部１２０のＸ軸方向における長さと一致するように配置されている。
【００６９】
第２の接地用端子部１３０は、絶縁膜に被覆されることなく外部に露出している。第２の接地用端子部１３０は、第４の接続用端子部ＴＭ４が含む端子を介して第２の配線部１１５が含む配線の１つ（接地用配線）と接続されている。
【００７０】
そして、フレキシブルプリント基板９は、本体部１１０を上記折り曲げ位置（直線Ｌ１）にて、第１の配線部１１４のＺ軸正方向側の面と第２の配線部１１５のＺ軸正方向側の面とが接するように折り曲げることにより、図４に示したように、形成される。上記構成によれば、第１の配線部１１４と第２の配線部１１５との一部は、本体部１１０が折り曲げられることにより重ね合わせられる。更に、第１の配線部１１４と第２の配線部１１５とは、本体部１１０が折り曲げられた状態にて、粘着テープ（又は、接着剤等）により互いに接着される。
【００７１】
なお、フレキシブルプリント基板９の本体部１１０を上記折り曲げ位置にて折り曲げることにより、第１の配線部１１４と第２の配線部１１５との一部を重ね合わせる工程は、折曲工程を構成している。
【００７２】
また、上記構成によれば、本体部１１０が折り曲げられた状態にて、第１の接地用端子部１２０と第２の接地用端子部１３０とは、隣接するように配置される。
【００７３】
更に、フレキシブルプリント基板９は、図２に示したように、図示しないヒンジユニットをらせん状に巻回するように、携帯電話装置１内に配設されている。加えて、第１の接続部１１１は、第１のコネクタ６に形成されたスロットに挿入されることにより、第１のコネクタ６に装着されている。これにより、第３の接続用端子部ＴＭ３及び第４の接続用端子部ＴＭ４が含む端子は、第１のコネクタ６を介して、第２の基板５上の回路と接続される。従って、第１の配線部１１４及び第２の配線部１１５が含む接地用配線は、第２の基板５上の回路内の接地用配線と接続される。
【００７４】
なお、第３の接続用端子部ＴＭ３及び第４の接続用端子部ＴＭ４が含む端子が第２の基板５上の回路と接続されるように、第１の接続部１１１を第１のコネクタ６に装着する工程は、装着工程の一部を構成している。
【００７５】
同様に、第２の接続部１１２は、第２のコネクタ７に形成されたスロットに挿入されることにより、第２のコネクタ７に装着されている。これにより、第１の接続用端子部ＴＭ１が含む端子は、第２のコネクタ７を介して、第１の基板４上の回路と接続される。従って、第１の配線部１１４が含む接地用配線は、第１の基板４上の回路内の接地用配線と接続される。
【００７６】
同様に、第３の接続部１１３は、第３のコネクタ８に形成されたスロットに挿入されることにより、第３のコネクタ８に装着されている。これにより、第２の接続用端子部ＴＭ２が含む端子は、第３のコネクタ８を介して、第１の基板４上の回路と接続される。従って、第２の配線部１１５が含む接地用配線は、第１の基板４上の回路内の接地用配線と接続される。
【００７７】
なお、第１の接続用端子部ＴＭ１及び第２の接続用端子部ＴＭ２が含む端子が第１の基板４上の回路と接続されるように、第２の接続部１１２を第２のコネクタ７に装着するとともに第３の接続部１１３を第３のコネクタ８に装着する工程は、装着工程の一部を構成している。
【００７８】
このような構成により、フレキシブルプリント基板９は、第１の基板４上の回路と、第２の基板５上の回路と、の間で信号を伝達する。更に、フレキシブルプリント基板９は、第１の基板４上の回路内の接地用配線と、第２の基板５上の回路内の接地用配線と、を電気的に接続する。即ち、フレキシブルプリント基板９は、第１の基板４上の回路内の接地用配線の電位と、第２の基板５上の回路内の接地用配線の電位と、を一致させる。
【００７９】
更に、第２の基板５には、図５に示したように、接地用導体１０が配設されている。なお、図５において、Ｚ軸方向は、第２の基板５が形成する平面と直交する方向である。接地用導体１０は、第１のコネクタ６に形成されたスロットが形成する平面と同一の平面を形成する表面を有する導体である。即ち、接地用導体１０は、第１の接続部１１１が第１のコネクタ６に装着された状態において、当該第１の接続部１１１と同一の平面を形成する表面を有する、と言うことができる。
【００８０】
更に、接地用導体１０は、第１の接続部１１１が第１のコネクタ６に装着された状態において、第１の接地用端子部１２０及び第２の接地用端子部１３０と当接するように配置されている。
【００８１】
また、図５に示した第２の基板５を、Ｘ軸に直交し且つＶＩ−ＶＩ線に沿った平面により切断した断面図である図６に示したように、第２の筐体３のＺ軸正方向側の部分の内壁面には、押圧部材１３が固定されている。押圧部材１３は、弾性体（例えば、ゴム又はスポンジ等）である。押圧部材１３は、接地用導体１０と対向するように配置されている。
【００８２】
押圧部材１３は、第１の接続部１１１が第１のコネクタ６に装着された状態において、第１の接地用端子部１２０及び第２の接地用端子部１３０を接地用導体１０に押圧するように構成されている。即ち、フレキシブルプリント基板９が第２の筐体３に収容された場合に、第１の接地用端子部１２０及び第２の接地用端子部１３０は、押圧部材１３により接地用導体１０へ押圧される、と言うことができる。
【００８３】
なお、第１の接地用端子部１２０及び第２の接地用端子部１３０を接地用導体１０に接触させる工程は、接地工程を構成している。
【００８４】
以上、説明したように、本発明によるフレキシブルプリント基板の実施形態によれば、第１の配線部１１４が含む配線は、第１の接地用端子部１２０を介して接地用導体１０と接続される。従って、第２の基板５のうちの第３の接続用端子部ＴＭ３及び第４の接続用端子部ＴＭ４が含む端子が接続される領域の近傍を通る配線を経由する経路のみを用いて、第１の配線部が含む配線と接地用導体とが接続される場合と比較して、第１の配線部１１４が含む配線（接地用配線）の電位を、接地用導体１０の電位に十分に近づけることができる。
【００８５】
同様に、第２の配線部１１５が含む配線（接地用配線）の電位も、接地用導体１０の電位に十分に近づけることができる。この結果、第１の基板４上の回路における接地用配線の電位（接地電位）と、第２の基板上の回路における接地用配線の電位（接地電位）と、を十分に近づけることができる。
【００８６】
更に、上記実施形態によれば、第１の接地用端子部１２０と第２の接地用端子部１３０とが隣接するように配置される。従って、接地用導体１０を比較的大きくすることなく、又は、接地用導体１０を複数用意することなく、第１の接地用端子部１２０及び第２の接地用端子部１３０の両方と、接地用導体１０と、を接触させることができる。
【００８７】
加えて、上記実施形態において、第１の接地用端子部１２０及び第２の接地用端子部１３０は、第１の接続部１１１から突出するように構成されている。これによれば、第１の接地用端子部１２０及び第２の接地用端子部１３０を、第２の基板５に設けられた接地用導体１０と容易に接触させることができる。
【００８８】
また、上記実施形態において、接地用導体１０は、第１の接続部１１１が第１のコネクタ６に装着された状態において、第１の接続部１１１と同一の平面を形成する表面を有するように構成されている。これによれば、第１の接続部１１１と、第１の接地用端子部１２０及び第２の接地用端子部１３０と、は同一の平面に位置する。従って、第１の接続部１１１と、第１の接地用端子部１２０又は第２の接地用端子部１３０と、の間の部分にて過大なせん断力が発生することを防止することができる。
【００８９】
更に、上記実施形態において、フレキシブルプリント基板９が第２の筐体３に収容された場合に、その第２の筐体３に固定された押圧部材１３は、第１の接地用端子部１２０及び第２の接地用端子部１３０を接地用導体１０に押圧する。これによれば、第１の接地用端子部１２０及び第２の接地用端子部１３０と、接地用導体１０と、を確実に接触させることができる。更に、第１の接地用端子部１２０及び第２の接地用端子部１３０と、接地用導体１０と、を接触させるためにネジ等を用いる場合と比較して、携帯電話装置１を容易に組み立てることができる。
【００９０】
なお、本発明は上記実施形態に限定されることはなく、本発明の範囲内において種々の変形例を採用することができる。例えば、上記実施形態においては、本体部１１０が折り曲げられた状態にて、第１の接地用端子部１２０と第２の接地用端子部１３０とが隣接するように配置されていた。
【００９１】
ところで、実施形態の変形例においては、図７及び図８に示したように、本体部１１０が折り曲げられた状態にて、第１の接地用端子部１２０と第２の接地用端子部１３０とが重ね合わせられるように配置されていてもよい。即ち、第１の接地用端子部１２０及び第２の接地用端子部１３０は、折り曲げ位置（直線Ｌ１）に対して互いに線対称となる位置に配置されていてもよい。これによれば、接地用導体１０をより一層小さくすることができる。なお、第１の接地用端子部１２０と第２の接地用端子部１３０との一部のみが重ね合わせられるように、第１の接地用端子部１２０及び第２の接地用端子部１３０が配置されていてもよい。
【００９２】
また、上記実施形態において、第１の接地用端子部１２０は、第３の接続用端子部ＴＭ３が含む端子を介して第１の配線部１１４が含む接地用配線と接続されていたが、第３の接続用端子部ＴＭ３が含む端子を介することなく第１の配線部１１４が含む接地用配線と接続されていてもよい。同様に、第２の接地用端子部１３０は、第４の接続用端子部ＴＭ４が含む端子を介することなく第２の配線部１１５が含む接地用配線と接続されていてもよい。
【００９３】
更に、上記実施形態においては、第２の接続部１１２及び第３の接続部１１３は、２つのコネクタ（第２のコネクタ７及び第３のコネクタ８）に１つずつ装着されるように構成されていたが、１つのコネクタに装着されるように構成されていてもよい。この場合、第１の接続用端子部ＴＭ１及び第２の接続用端子部ＴＭ２は、１つの接続部を形成していてもよい。
【００９４】
また、上記実施形態において、第３の接続用端子部ＴＭ３及び第４の接続用端子部ＴＭ４は、１つの接続部（第１の接続部１１１）を形成していたが、それぞれが２つの接続部を１つずつ形成していてもよい。
【００９５】
なお、上記実施形態において、電子機器は、携帯電話装置１であったが、ＰＤＡ（Ｐｅｒｓｏｎａｌ  Ｄａｔａ  Ａｓｓｉｓｔａｎｃｅ）、スマートフォン、ＰＨＳ（Ｐｅｒｓｏｎａｌ  Ｈａｎｄｙｐｈｏｎｅ  Ｓｙｓｔｅｍ）、ゲーム機、カーナビゲーション装置、又は、ラップトップ型コンピュータ等であってもよい。
【産業上の利用可能性】
【００９６】
本発明は、折り畳み式の携帯電話装置内の２つの基板を接続するフレキシブルプリント基板に適用可能である。
【図面の簡単な説明】
【００９７】
【図１】本発明の実施形態に係る携帯電話装置の概略構成を表す図である。
【図２】図１に示した携帯電話装置に収容された基板を示した図である。
【図３】図２に示したフレキシブルプリント基板の展開図である。
【図４】図３に示したフレキシブルプリント基板を折り曲げた後の状態におけるフレキシブルプリント基板を示した図である。
【図５】フレキシブルプリント基板を第１のコネクタの近傍にて拡大した図である。
【図６】図５に示した第２の基板を、Ｘ軸に直交し且つＶＩ−ＶＩ線に沿った平面により切断した断面図である。
【図７】実施形態の変形例に係るフレキシブルプリント基板の展開図である。
【図８】図７に示したフレキシブルプリント基板を折り曲げた後の状態におけるフレキシブルプリント基板を示した図である。
【符号の説明】
【００９８】
１      携帯電話装置
２      第１の筐体
３      第２の筐体
４      第１の基板
５      第２の基板
６      第１のコネクタ
７      第２のコネクタ
８      第３のコネクタ
９      フレキシブルプリント基板
１０    接地用導体
１１    ディスプレイ
１２    入力キー
１３    押圧部材
１１０  本体部
１１１  第１の接続部
１１２  第２の接続部
１１３  第３の接続部
１１４  第１の配線部
１１５  第２の配線部
１２０  第１の接地用端子部
１３０  第２の接地用端子部
Ｓ１    第１の長辺
Ｓ２    第２の長辺
ＴＭ１  第１の接続用端子部
ＴＭ２  第２の接続用端子部
ＴＭ３  第３の接続用端子部
ＴＭ４  第４の接続用端子部
【図１】
2010040888.tif 000003
【図２】
2010040888.tif 000004
【図３】
2010040888.tif 000005
【図４】
2010040888.tif 000006
【図５】
2010040888.tif 000007
【図６】
2010040888.tif 000008
【図７】
2010040888.tif 000009
【図８】
2010040888.tif 000010